(57)【要約】【課題】車両ボデーに搭載する際の作業工数をより低減することができる車両用ステップ装置を提供する。【解決手段】車両ボデー１０に形成された乗降口１０ａに対向して設けられるステップ部材ＳＴと、スライドドアを開閉駆動する駆動部材４９とを備え、ステップ部材ＳＴは、車両ボデー１０に固定されスライドドアの開閉作動における移動を案内する金属製のレール部３０と、ステップパネル４１、該ステップパネル４１に突設されレール部３０の外側面に嵌合されるレール嵌合部４４及び駆動部材設置部４３を一体的に有しレール部３０と共にスライドドアの開閉作動の全範囲における移動を案内するロアレール１２を構成する樹脂製のステップ本体４０とを備える。【選択図】図２
2014180998.tif 000002
【特許請求の範囲】
【請求項１】
車両ボデーに設けられるステップ部材と、
前記ステップ部材に設けられ、前記車両ボデーに形成された乗降口を開閉するスライドドアに連係されて該スライドドアを開閉駆動する駆動部材とを備え、
前記ステップ部材は、
前記車両ボデーに固定され、前記スライドドアの開閉作動における移動を案内する金属製のレール部と、
前記乗降口を乗降する搭乗者の足場となるステップパネル、該ステップパネルに突設され前記レール部の外側面に嵌合されるレール嵌合部、及び前記駆動部材が設置される駆動部材設置部を一体的に有し、前記レール部と共に前記スライドドアの開閉作動の全範囲における移動を案内するガイドレールを構成する樹脂製のステップ本体とを備えた、車両用ステップ装置。
【請求項２】
請求項１に記載の車両用ステップ装置において、
前記レール部は、前記ステップ本体との位置関係を決定するための基準点となる位置決め部を備えた、車両用ステップ装置。
【請求項３】
請求項１又は２に記載の車両用ステップ装置において、
前記レール部は、前記ガイドレールの一部の範囲に延在して前記スライドドアの開閉作動の一部の範囲における移動を案内する、車両用ステップ装置。
【請求項４】
請求項１又は２に記載の車両用ステップ装置において、
前記レール部は、前記スライドドアの開閉作動の全範囲における移動を案内する、車両用ステップ装置。
【請求項５】
請求項３に記載の車両用ステップ装置において、
前記レール部は、車両幅方向に並設された一対の側壁部を有し、
前記レール部には、前記ステップ本体が構成する前記ガイドレールである樹脂レール部及び前記レール部の境界部位で前記両側壁部の先端に連続して互いに相反する車両幅方向に延びる一対の逃げ部が形成され、
前記レール嵌合部には、互いに相反する車両幅方向に凹んで前記両逃げ部をそれぞれ収容する一対の収容部が形成された、車両用ステップ装置。
【発明の詳細な説明】
【技術分野】
【０００１】
本発明は、車両ボデーに形成された乗降口に搭載される車両用ステップ装置に関するものである。
【背景技術】
【０００２】
従来、こうした車両用ステップ装置としては、例えば特許文献１に記載されたものが知られている。図７に示すように、この車両用ステップ装置９０は、樹脂材からなるステップ部材９１を備えるとともに、該ステップ部材９１下部に設けられる駆動部材９６を備える。そして、ステップ部材９１は、略平板状のステップパネル９２及び該ステップパネル９２下面から下方に延びる略Ｕ字溝状のガイドレール９３を一体的に有する。
【０００３】
ステップパネル９２は、車両搭載状態において略水平に広がって、乗降口を乗降する搭乗者の足場となる。一方、ガイドレール９３は、乗降口を開閉するスライドドアを移動案内するためのもので、基本的に車両前後方向に延在する。なお、駆動部材９６は、ガイドレール９３よりも車両幅方向内側寄りに配置されており、スライドドアと連係されて該スライドドアを電動で移動駆動（開閉駆動）する。
【０００４】
この構成によれば、例えば共に金属板からなるステップパネル及びガイドレールを溶接等で接合したステップ部材に対して軽量化及び部品点数の削減を図れるとしている。
【先行技術文献】
【特許文献】
【０００５】
【特許文献１】特開２０１１−１０５２６３号公報
【発明の概要】
【発明が解決しようとする課題】
【０００６】
ところで、車両メーカでのスライドドア建付け工程は一般に、塗装工程（電着塗装〜上塗り工程）前の板金溶接後に行っている。つまり、車両メーカでは、板金状態の車両ボデーにスライドドアを建付けてそれらを塗装し、更に２００°Ｃ近い乾燥炉で焼付けすることになる。従って、特許文献１では、本来は塗装工程に先立ってスライドドアの建付けのために車両用ステップ装置９０を車両ボデーに搭載しておく必要がある。しかしながら、ステップ部材９１が乾燥炉の高熱に耐えられない樹脂製であったり、駆動部材９６（電動モータ等）が設置されていたりすることで、この段階では乾燥炉の高熱に耐えられるスライドドア建付け用の専用部品を車両ボデーに搭載することになる。そして、塗装工程の終了後に、前述の専用部品を取り外して本来の車両用ステップ装置９０に入れ換えることになる。
【０００７】
従って、このような部品の置き換え作業を要する分、作業工数の増大を余儀なくされている。特に、スライドドア建付け工程において前述の専用部品を利用して所要精度でスライドドアを建付けたにも関わらず、当該精度の前提となる専用部品が車両用ステップ装置９０に置き換えられることで、所要精度を満足するように建付けの微調整を改めて行う必要があり、作業工数のいっそうの増大を余儀なくされている。
【０００８】
本発明の目的は、車両ボデーに搭載する際の作業工数をより低減することができる車両用ステップ装置を提供することにある。
【課題を解決するための手段】
【０００９】
上記課題を解決する車両用ステップ装置は、車両ボデーに設けられるステップ部材と、前記ステップ部材に設けられ、前記車両ボデーに形成された乗降口を開閉するスライドドアに連係されて該スライドドアを開閉駆動する駆動部材とを備え、前記ステップ部材は、前記車両ボデーに固定され、前記スライドドアの開閉作動における移動を案内する金属製のレール部と、前記乗降口を乗降する搭乗者の足場となるステップパネル、該ステップパネルに突設され前記レール部の外側面に嵌合されるレール嵌合部、及び前記駆動部材が設置される駆動部材設置部を一体的に有し、前記レール部と共に前記スライドドアの開閉作動の全範囲における移動を案内するガイドレールを構成する樹脂製のステップ本体とを備えた。
【００１０】
この構成によれば、前記ステップ部材は、金属製の前記レール部と、該レール部とは別体の樹脂製の前記ステップ本体とで構成される。そして、前記車両ボデーに固定された前記レール部は、それ自体で前記スライドドアの開閉作動における移動を案内することができる。つまり、車両メーカでは、板金状態の車両ボデーに前記レール部のみを固定しておけば、塗装工程（電着塗装〜上塗り工程）に先立って前記スライドドアを所要の精度で建付けることができる。そして、塗装工程の終了後に、前記駆動部材を予め設置した状態の前記ステップ本体の前記レール嵌合部を前記レール部の外側面に嵌合すれば、該レール部と共に前記ガイドレールが構成されて、車両用ステップ装置の搭載作業が完了する。従って、従来形態のような部品の置き換え作業が不要になる分、前記車両ボデーに搭載する際の作業工数をより低減することができる。また、基本的に前記スライドドアを建付けた際の精度に変化がないことから、当然ながらその後の建付けの微調整のための作業工数も低減することができる。
【００１１】
上記車両用ステップ装置について、前記レール部は、前記ステップ本体との位置関係を決定するための基準点となる位置決め部を備えることが好ましい。
この構成によれば、前記レール部及び前記ステップ本体は、前記位置決め部によりそれらの位置関係を決定できるため、前記ステップ本体の取着後の前記スライドドアの建付け精度の変化を抑えることができる。
【００１２】
上記車両用ステップ装置について、前記レール部は、前記ガイドレールの一部の範囲に延在して前記スライドドアの開閉作動の一部の範囲における移動を案内することが好ましい。
【００１３】
この構成によれば、前記レール部は、前記ガイドレールの一部の範囲のみに延在していることで、例えば前記ガイドレールの略全範囲に延在している場合に比べて金属材（レール部）の使用量を低減することができ、所要の強度に対してより軽量化を図ることができる。
【００１４】
上記車両用ステップ装置について、前記レール部は、前記スライドドアの開閉作動の全範囲における移動を案内することが好ましい。
この構成によれば、前記レール部は、それ自体で前記スライドドアの開閉作動の全範囲における移動を案内できることで、例えば塗装工程において、前記スライドドアを全閉〜全開状態へと移動させることができ、塗装作業をより円滑化することができる。
【００１５】
上記車両用ステップ装置について、前記レール部は、車両幅方向に並設された一対の側壁部を有し、前記レール部には、前記ステップ本体が構成する前記ガイドレールである樹脂レール部及び前記レール部の境界部位で前記両側壁部の先端に連続して互いに相反する車両幅方向に延びる一対の逃げ部が形成され、前記レール嵌合部には、互いに相反する車両幅方向に凹んで前記両逃げ部をそれぞれ収容する一対の収容部が形成されることが好ましい。
【００１６】
この構成によれば、前記レール部は、前記両収容部にそれぞれ収容される前記両逃げ部に連続する前記両側壁部の先端において、前記樹脂レール部に連続する。従って、前記ガイドレールを構成する前記レール部（両側壁部）の内側面及び前記樹脂レール部の内側面間で前記両側壁部の先端による急峻な段差が生じることを回避でき、ひいては前記ガイドレールによる前記スライドドアの開閉作動における移動をより円滑に案内することができる。
【発明の効果】
【００１７】
本発明は、車両ボデーに搭載する際の作業工数をより低減できる効果がある。
【図面の簡単な説明】
【００１８】
【図１】本発明が適用される車両の側面図。
【図２】本発明の第１の実施形態を示す分解斜視図。
【図３】図４の３−３線に沿った断面図。
【図４】（ａ）、（ｂ）は、図３の４Ａ−４Ａ線及び４Ｂ−４Ｂ線に沿った断面図。
【図５】本発明の第２の実施形態を示す分解斜視図。
【図６】本発明の変形形態を示す断面図。
【図７】従来形態を示す斜視図。
【発明を実施するための形態】
【００１９】
（第１の実施形態）
図１〜図４を参照して車両用ステップ装置の第１の実施形態について説明する。なお、以下では、車両前後方向を「前後方向」といい、車両高さ方向上方及び下方をそれぞれ「上方」及び「下方」という。また、車室内方に向かう車両幅方向内側を「車内側」といい、車室外方に向かう車両幅方向外側を「車外側」という。
【００２０】
図１に示すように、車両ボデー１０には、その側部に形成された乗降口１０ａの上縁及び下縁に沿って前後方向に延在するアッパレール１１及びガイドレールとしてのロアレール１２がそれぞれ設置されるとともに、乗降口１０ａの後方のクォータパネル１０ｂにおいて前後方向に延在するセンターレール１３が設置されている。そして、これらアッパレール１１、ロアレール１２及びセンターレール１３には、ガイドローラユニット１４，１５，１６をそれぞれ介してスライドドア２０が前後方向に移動可能に支持されている。スライドドア２０は、これらガイドローラユニット１４〜１６をそれぞれアッパレール１１、ロアレール１２及びセンターレール１３に摺動させつつ前後方向に移動することで乗降口１０ａを開閉する。
【００２１】
次に、ロアレール１２及びその周辺構造について説明する。
図２に示すように、車両ボデー１０には、乗降口１０ａに対向して、車両フロア面よりも低い収容凹部１０ｃが形成されている。そして、車両ボデー１０には、車両前方寄りの収容凹部１０ｃ上を前後方向に延在する金属製のレール部３０が固着されている。すなわち、レール部３０は、前後方向に延在する略長尺状の蓋壁部３１及び該蓋壁部３１の車両幅方向両側端から下方に延びる一対の側壁部３２を有して、下向きに開口する断面略Ｕ字状に成形されており、前端に設けられた略蝶型の取付部３３において、例えば溶接により車両ボデー１０に固定されている。なお、蓋壁部３１には、取付部３３の車両後方で、上方に軸線の延びる位置決め部としてのスタッドボルト３４が、例えば植込み（及び溶接）にて固定されている。
【００２２】
また、車両ボデー１０には、収容凹部１０ｃを上方から略閉塞する態様で樹脂製のステップ本体４０が取着される。このステップ本体４０は、収容凹部１０ｃ上を略水平に広がる略平板状のステップパネル４１、該ステップパネル４１から下方に突設されたレール構成部４２、及びステップパネル４１の下面に形成された駆動部材設置部４３を一体的に有する。なお、駆動部材設置部４３には、例えば電動モータ及び適宜の作動機構を主体に構成された駆動部材４９が設置される。この駆動部材４９は、スライドドア２０に連係されて該スライドドア２０を電動で移動駆動（開閉駆動）する。
【００２３】
ステップパネル４１は、乗降口１０ａに対向するように配置されて、該乗降口１０ａを乗降する搭乗者の足場となる。
レール構成部４２は、前記レール部３０と協働してロアレール１２を構成するもので、その前側部はレール嵌合部４４を形成するとともに、後側部は樹脂レール部４５を形成する。
【００２４】
図３に併せ示すように、レール嵌合部４４は、前記レール部３０の前後方向の全範囲に略一致して当該方向に延在しており、レール部３０の前後方向の全範囲でこれに重なっている。レール嵌合部４４は、レール部３０を車両幅方向に挟み込む一対の支持壁部４４ａを有する。両支持壁部４４ａは、車両幅方向に凹凸する凹凸部４４ｂをそれぞれ有しており、これら凹凸部４４ｂにおいて両側壁部３２（レール部３０）の外側面に部分的に圧接している。つまり、レール構成部４２（ステップ本体４０）は、両凹凸部４４ｂが両側壁部３２の外側面に部分的に圧接する態様で、レール嵌合部４４をレール部３０の外側面に嵌合させることで、該レール部３０に固定・支持される。
【００２５】
一方、樹脂レール部４５は、レール嵌合部４４の後端に連続してその車両後方で前後方向に延在しており、車両幅方向に並設された一対の側壁部４５ａを有する。両側壁部４５ａは、両側壁部３２の後端面がそれぞれ当接又は近接する一対の段差４５ｂを介して車両幅方向に縮開されており、これら段差４５ｂにより両側壁部４５ａの内側面（互いの対向面）が両側壁部３２の内側面とそれぞれ略面一になるように設定されている。
【００２６】
図２に示すように、ステップパネル４１の前端には、スタッドボルト３４に対向して車両高さ方向に開口する位置決め溝４６が形成されている。この位置決め溝４６は、レール嵌合部４４に沿って車両後方に延びるとともに後端で閉塞されている。ステップ本体４０は、レール嵌合部４４をレール部３０の外側面に嵌合させつつ位置決め溝４６にスタッドボルト３４を挿通するとともに、位置決め溝４６を貫通したスタッドボルト３４の先端部にナット４７を螺合することでレール部３０に固定される。この際、ステップ本体４０は、位置決め溝４６に挿通されるスタッドボルト３４を基準点として、レール部３０との位置関係が決定される。レール部３０及びステップ本体４０は、ステップ部材ＳＴを構成する。
【００２７】
なお、本実施形態では、ナット４７として、締め付け時にはスタッドボルト３４を直線的に挿入するのみでよく、取り外し時にのみ回転を要する、いわゆるクイックナットが採用されている。また、レール部３０に固定等されたステップ本体４０は、複数の締結ボルト（図示略）により車両ボデー１０側に締結される。ナット４７としてクイックナットを採用したのは、ステップ本体４０の固定時、締結ボルトを回転・締め付ける専用工具に加えて、ナットを回転・締め付ける専用工具を要するという作業を繁雑さを回避するためである。
【００２８】
ここで、図４（ａ）、（ｂ）に示すように、ロアレール１２を摺動する前記ガイドローラユニット１５は、レール部３０（レール嵌合部４４）の範囲にあるときには両側壁部３２の内側面（互いの対向面）を摺動し、樹脂レール部４５の範囲にあるときには両側壁部４５ａの内側面（互いの対向面）を摺動する。以上により、レール部３０及びレール構成部４２は、それらの協働でロアレール１２を構成する。レール部３０がロアレール１２の一部の範囲に延在していることはいうまでもない。
【００２９】
ガイドローラユニット１５がレール部３０の範囲（ロアレール１２の前側部）にあるときには、スライドドア２０は全閉状態〜所定の半開状態の範囲にある。そして、全閉状態〜所定の半開状態の範囲でのスライドドア２０の移動は、レール部３０によって案内される。一方、ガイドローラユニット１５が樹脂レール部４５の範囲（ロアレール１２の後側部）にあるときには、スライドドア２０は前記所定の半開状態〜全開状態の範囲にある。そして、前記所定の半開状態〜全開状態の範囲でのスライドドア２０の移動は、樹脂レール部４５によって案内される。
【００３０】
従って、少なくとも車両ボデー１０にレール部３０が固着されていれば、スライドドア２０は全閉状態〜前記所定の半開状態の範囲で開閉作動が可能となる。所定の半開状態は、スライドドア２０の建付け後の塗装工程（電着塗装〜上塗り工程）において、塗装ガンの進退可能な開口量に基づき設定されている。また、レール部３０の板厚は、レール嵌合部４４の嵌合前であっても一時的であればスライドドア２０の移動を案内可能な最小限の強度に基づき設定されている。換言すれば、通常の使用状態でのスライドドア２０の移動を案内可能な強度は、レール部３０及びレール嵌合部４４の嵌合状態で確保されるようになっている。さらに、取付部３３によるレール部３０の固定強度は、ステップ本体４０の締結前であっても一時的であればスライドドア２０の移動を案内可能な最小限の強度に設定されている。換言すれば、通常の使用状態でのスライドドア２０の移動を案内可能なレール部３０等の固定強度は、車両ボデー１０に締結されるステップ本体４０との協働で確保されるようになっている。
【００３１】
次に、本実施形態の作用について説明する。
ステップ部材ＳＴは、金属製のレール部３０と、該レール部３０とは別体の樹脂製のステップ本体４０とで構成される。そして、車両ボデー１０に固定されたレール部３０は、全閉状態〜所定の半開状態の範囲であれば、それ自体でスライドドア２０の開閉作動における移動を案内することができる。つまり、車両メーカでは、板金状態の車両ボデー１０にレール部３０のみを固定しておけば、塗装工程（電着塗装〜上塗り工程）に先立ってスライドドア２０を所要の精度で建付けることができる。そして、塗装工程の終了後に、駆動部材４９を予め設置した状態のステップ本体４０をレール部３０の上方から載せてそのレール嵌合部４４をレール部３０の外側面に嵌合等すれば、該レール部３０と共にロアレール１２が構成されて、車両用ステップ装置の搭載作業が完了する。
【００３２】
以上詳述したように、本実施形態によれば、以下に示す効果が得られるようになる。
（１）本実施形態では、車両用ステップ装置の搭載作業において、従来形態のような部品の置き換え作業が不要になる分、車両ボデー１０に搭載する際の作業工数をより低減することができる。また、基本的にスライドドア２０を建付けた際の精度に変化がないことから、当然ながらその後の建付けの微調整のための作業工数も低減することができる。そして、これらの作業工数の低減におより、コストを削減することができる。
【００３３】
（２）本実施形態では、レール部３０及びステップ本体４０は、位置決め溝４６に挿通されるスタッドボルト３４によりそれらの位置関係を決定できるため、ステップ本体４０の取着後のスライドドア２０の建付け精度の変化を抑えることができる。
【００３４】
（３）本実施形態では、レール部３０は、ロアレール１２の一部の範囲のみに延在していることで、例えばロアレール１２の略全範囲に延在している場合に比べて金属材（レール部３０）の使用量を低減することができ、所要の強度に対してより軽量化を図ることができる。
【００３５】
（４）本実施形態では、レール嵌合部４４は、両凹凸部４４ｂにおいてレール部３０の外側面に部分的に圧接することで、該レール部３０の変形を抑制しつつこれと堅固に結合することができる。
【００３６】
（５）本実施形態では、レール部３０は、ロアレール１２の一部の範囲のみに延在していることで、例えば車両後方からレール嵌合部４４にレール部３０を挿入させてそれらを嵌合することができ、組付方向の自由度を向上させることができる。
【００３７】
（６）本実施形態では、ステップ本体４０は、スタッドボルト３４の挿通可能な位置決め溝４６の範囲でレール部３０に対し前後方向の位置調整が可能であることで、それらの組付誤差を吸収しつつより円滑にレール部３０に固定することができる。また、熱膨張等により、金属製のレール部３０とは線膨張係数の異なるステップ本体４０がレール部３０に対して伸縮したとしても、位置決め溝４６の範囲でこれを吸収することができる。
【００３８】
（７）本実施形態では、金属製のレール部３０と、樹脂製のステップ本体４０との組み合わせで車両用ステップ装置を構成したことで、所要の精度でのスライドドア２０の建付け等と、軽量化・部品点数削減との両立を実現することができる。
【００３９】
（８）本実施形態では、ナット４７として工具の不要なクイックナットを採用したことで、ステップ本体４０の固定時、前述の締結ボルトを回転・締め付ける専用工具に加えて、ナットを回転・締め付ける専用工具を要するという作業を繁雑さを回避することができる。そして、作業時の工具違いや締結忘れなどの発生を抑制することができる。
【００４０】
（９）本実施形態では、ステップ本体４０との締結用にレール部３０にスタッドボルト３４を設けたことで、例えばレール部３０の内部に締結ボルトの先端部が突出してガイドローラユニット１５と干渉したりすることを解消できる。あるいは、このような干渉を回避するためにレール部３０を車両高さ方向に大型化する必要性を解消できる。
【００４１】
（第２の実施形態）
図５を参照して車両用ステップ装置の第２の実施形態について説明する。なお、第２の実施形態は、第１の実施形態の主にロアレールの構造を変更した構成であるため、同様の部分についてはその詳細な説明は省略する。
【００４２】
図５に示すように、車両ボデー１０に固着される金属製のレール部５０は、ロアレール１２の長手方向略全長に亘って前後方向に延在している。このレール部５０は、前後方向に延在する略長尺状の蓋壁部５１及び該蓋壁部５１の車両幅方向両側端から下方に延びる一対の側壁部５２を有する。
【００４３】
一方、ステップ本体４０は、ステップパネル４１から下方に突設されたレール嵌合部５５を有する。レール嵌合部５５は、前記レール部５０の前後方向の全範囲に略一致して当該方向に延在しており、該レール部５０を車両幅方向に挟み込む一対の支持壁部５５ａを有する。ステップ本体４０は、レール嵌合部５５をレール部５０の外側面に嵌合させることで、該レール部５０に固定・支持される。
【００４４】
なお、ロアレール１２を摺動する前記ガイドローラユニット１５は、常に両側壁部５２の内側面（互いの対向面）を摺動する。レール部５０及びレール嵌合部５５は、それらの協働でロアレール１２を構成する。レール部５０がロアレール１２の長手方向略全長に亘って前後方向に延在することは既述のとおりである。
【００４５】
そして、少なくとも車両ボデー１０にレール部５０が固着されていれば、スライドドア２０は全閉〜全開状態の全範囲で開閉作動が可能となる。レール部５０の板厚は、レール嵌合部５５の嵌合前であっても一時的であればスライドドア２０の移動を案内可能な最小限の強度に基づき設定されている。換言すれば、通常の使用状態でのスライドドア２０の移動を案内可能な強度は、レール部５０及びレール嵌合部５５の嵌合状態で確保されるようになっている。
【００４６】
以上詳述したように、本実施形態によれば、前記第１の実施形態における（１）、（２）、（６）〜（９）の効果に加えて以下に示す効果が得られるようになる。
（１）本実施形態では、レール部５０は、それ自体でスライドドア２０の開閉作動の全範囲における移動を案内できることで、例えば塗装工程において、スライドドア２０を全閉〜全開状態へと移動させることができ、塗装作業をより円滑化することができる。
【００４７】
（２）本実施形態では、スライドドア２０の開閉作動の全範囲において、基本的にスライドドア２０を建付けた際の精度に変化がないことから、その後の建付けの微調整のための作業工数をいっそう低減することができる。
【００４８】
なお、上記実施形態は以下のように変更してもよい。
・図６に示すように、前記第１の実施形態において、レール部３０及び樹脂レール部４５の境界部位で両側壁部３２の後端面により車両幅方向にステップ状に突出する段差が生じないように、両側壁部３２の後部を互いに相反する車両幅方向に開いてもよい。すなわち、レール部３０には、両側壁部３２の後端に連続して互いに相反する車両幅方向に延びる一対の逃げ部６１がそれぞれ形成されている。各逃げ部６１は、該当の側壁部３２の後部を曲成することで形成されており、これにより、該側壁部３２の後端面は、断面略円弧状に湾曲する。
【００４９】
一方、レール嵌合部４４には、互いに相反する車両幅方向に凹んで両逃げ部６１をそれぞれ収容する一対の収容部６２が形成されている。各側壁部３２（逃げ部６１）の後端面は、該当の収容部６２の後端面に当接又は近接する（図６では便宜的に隙間を誇張して描画している）。
【００５０】
この構成によれば、レール部３０は、両収容部６２にそれぞれ収容される両逃げ部６１に連続する両側壁部３２の後端において、樹脂レール部４５に連続する。従って、レール部３０（両側壁部３２）の内側面及び樹脂レール部４５の内側面間で両側壁部３２の後端による急峻な段差が生じることを回避でき、ひいてはロアレール１２によるスライドドア２０の開閉作動における移動をより円滑に案内することができる。
【００５１】
・前記第１の実施形態において、塗装工程において、レール部３０の範囲でスライドドア２０を移動させる際、レール部３０の後端からガイドローラユニット１５が脱落しないように、レール部３０の後端（後方の開口部）の一時的に閉塞する別ブラケット（蓋部材）を設けてもよい。この場合、例えばスタッドボルト３４（位置決め部）を活用して工程内の治具で閉塞してもよい。
【００５２】
・前記第１の実施形態において、例えば車両後方からレール嵌合部４４にレール部３０を挿入させてそれらを嵌合する場合、該レール嵌合部４４は、レール部３０の前後方向の全範囲に略一致して当該方向に延在していなくてもよい。ただし、スライドドア２０が全閉状態にあるときのガイドローラユニット１５の位置でロアレール１２による十分な支持強度が確保されるよう、当該位置でレール嵌合部４４が重なるように設定する必要がある。
【００５３】
・前記第１の実施形態において、レール部３０の延在範囲は任意である。要は、スライドドア２０の建付け時に所要精度を確保でき、且つ、その後の塗装工程において塗装ガンの進退可能な開口量を確保できるのであればよい。
【００５４】
・前記第２の実施形態において、ナット４７として、締め付け時にも回転を要する汎用のナットを採用してもよい。
・前記第２の実施形態において、ロアレール１２の長手方向略全長に亘って前後方向に延在するレール部５０の場合、スタッドボルト３４に代えて、若しくは加えて、レール部５０の長手方向中間部に適宜の位置決め部（スタッドボルト等）を設けてもよい。また、該当の位置決め部がスタッドボルトである場合には、ステップ本体４０との締結に前述のクイックナットを採用することがより好ましい。ただし、締め付け時にも回転を要する汎用のナットを採用してもよい。
【００５５】
・前記第２の実施形態において、レール嵌合部５５の両支持壁部５５ａは、車両幅方向に凹凸して両側壁部５２（レール部５０）の外側面に部分的に圧接する凹凸部を有していてもよいし、有していなくてもよい。
【００５６】
・前記各実施形態において、位置決め部として、ピン形状や凹部形状（孔等）などを採用してもよい。
・前記各実施形態において、位置決め部（スタッドボルト等）は、取付部３３に配置されていてもよい。
【００５７】
・前記各実施形態においては、ステップ本体４０との締結用のスタッドボルト３４を位置決め部として兼用したが、該スタッドボルト３４とは別に専用の位置決め部（ピン形状等）を設けてもよい。また、こうした位置決め部を割愛してもよい。
【００５８】
次に、上記実施形態及び別例から把握できる技術的思想について以下に追記する。
（イ）上記車両用ステップ装置において、
前記レール嵌合部は、前記レール部の外側面に部分的に圧接する凹凸部を有した、車両用ステップ装置。この構成によれば、前記レール嵌合部は、前記凹凸部において前記レール部の外側面に部分的に圧接することで、該レール部の変形を抑制しつつこれと堅固に結合することができる。
【符号の説明】
【００５９】
ＳＴ…ステップ部材、１０…車両ボデー、１０ａ…乗降口、１２…ロアレール（ガイドレール）、２０…スライドドア、３０，５０…レール部、３２…側壁部、３４…スタッドボルト（位置決め部）、４０…ステップ本体、４１…ステップパネル、４２…レール構成部、４３…駆動部材設置部、４４，５５…レール嵌合部、４５…樹脂レール部、４９…駆動部材、６１…逃げ部、６２…収容部。
【図１】
2014180998.tif 000003
【図２】
2014180998.tif 000004
【図３】
2014180998.tif 000005
【図４】
2014180998.tif 000006
【図５】
2014180998.tif 000007
【図６】
2014180998.tif 000008
【図７】
2014180998.tif 000009